(57)【要約】      （修正有）【課題】操作性の高いタイトル内位置検索が可能な映像記録再生装置および映像記録再生方法を提供する。【解決手段】選択的に信号を受信する受信手段２１と、受信手段２１で受信された信号を処理するデータ処理手段２２と、データ処理手段２２で処理された信号を記録する記録手段２４と、再生する信号を表示手段で表示可能に処理して出力する出力処理手段２３と、受信手段２１、データ処理手段２２、記録手段２４、および、出力処理手段２３の動作を制御する制御手段２５と、を備えた映像記録再生装置の映像記録再生方法であって、受信手段２１で受信された信号から字幕情報を取得する取得ステップと、前記字幕情報に基づいて作成された字幕リスト、および、字幕リストのタイトル内位置を含む字幕一覧サーチ画面の表示設定をする表示設定ステップと、を備えた映像記録再生方法。【選択図】図２
2010011395.tif 000002
【特許請求の範囲】
【請求項１】
選択的に信号を受信する受信手段と、
前記受信手段で受信された信号を処理するデータ処理手段と、
前記データ処理手段で処理された信号を記録する記録手段と、
再生する信号を表示手段で表示可能に処理して出力する出力処理手段と、
前記受信手段、前記データ処理手段、前記記録手段、および、前記出力処理手段の動作を制御する制御手段と、を備え、
前記制御手段は、前記受信手段で受信された信号から取得された字幕情報に基づく字幕一覧サーチ画面の表示設定をする字幕情報一覧表示設定手段を備え、
前記字幕情報一覧表示設定手段は、タイトルを再生中か否かを判断して選択枠の位置を設定する選択枠位置設定手段と、
前記選択枠の位置に基づいて、表示させる字幕リストの範囲を設定する字幕表示範囲設定手段と、
前記字幕表示範囲設定部によって設定された範囲内の字幕位置表示を設定する字幕位置表示設定手段と、
設定された字幕表示範囲のタイトル内位置表示を設定するタイトル内字幕位置表示設定手段と、を備える映像記録再生装置。
【請求項２】
前記受信手段は、前記タイトルに関する時刻情報を外部から取得する時刻取得手段を有し、
前記制御手段は、前記時刻取得手段で取得された時刻情報を抽出する表示時刻情報抽出部と、前記表示時刻情報抽出部で抽出された時刻情報、および前記タイトルの字幕情報を含むテーブルデータを生成するテーブル生成手段と、をさらに備える請求項１記載の映像記録再生装置。
【請求項３】
前記制御手段は、前記受信手段で受信された信号の字幕情報の位置を示す字幕ポインタ情報を取得し、前記記録手段に字幕ポインタリストを保存する字幕ポインタリスト作成手段を更に備える請求項１または請求項２記載の映像記録再生装置。
【請求項４】
前記制御手段は、前記表示時刻抽出部で抽出された表示時刻情報から、字幕の表示時刻間隔が一定以上か否かを判断し、表示時刻間隔が一定以上の場合に、字幕と字幕との間に所定の間隔で空行情報を挿入して、字幕情報、空行情報、および表示時刻を含むテーブルデータを生成する手段、をさらに備える請求項１または請求項２記載の映像記録再生装置。
【請求項５】
前記制御手段は、前記タイトルにチャプター情報が含まれる場合に、字幕のリストとチャプター情報とを合わせてテーブルデータを生成させるチャプター表示設定手段を備える請求項１又は請求項２記載の映像記録再生装置。
【請求項６】
前記字幕情報一覧表示設定手段は、前記入力手段に早送り又は早戻し操作情報が入力された場合に、表示映像と連動して字幕表示範囲を更新させる字幕表示更新手段をさらに備える請求項１乃至請求項５のいずれか１項記載の映像記録再生装置。
【請求項７】
選択的に信号を受信する受信手段と、
前記受信手段で受信された信号を処理するデータ処理手段と、
前記データ処理手段で処理された信号を記録する記録手段と、
再生する信号を表示手段で表示可能に処理して出力する出力処理手段と、
前記受信手段、前記データ処理手段、前記記録手段、および、前記出力処理手段の動作を制御する制御手段と、を備えた映像記録再生装置の映像記録再生方法であって、
前記受信手段で受信された信号から字幕情報を取得する取得ステップと、
前記字幕情報に基づいて作成された字幕リスト、および、前記字幕リストのタイトル内位置を含む字幕一覧サーチ画面の表示設定をする表示設定ステップと、を備える映像記録再生方法。
【請求項８】
前記受信手段は、前記タイトルに関する時刻情報を外部から取得する時刻取得手段を有し、
前記表示設定ステップは、前記時刻取得手段で取得された時刻情報を抽出する表示時刻情報抽出ステップと、前記表示時刻情報抽出ステップで抽出された時刻情報、および前記タイトルの字幕情報を含むテーブルデータを生成するテーブル生成ステップと、を備える請求項７記載の映像記録再生方法。
【請求項９】
前記表示設定ステップは、タイトルを再生中か否かを判断して選択枠の位置を設定する選択枠位置設定ステップと、
前記選択枠の位置に基づいて、字幕情報のうち字幕リストとして表示させる範囲を設定する字幕表示範囲設定ステップと、
設定された範囲内の字幕位置表示を設定する字幕位置表示設定ステップと、
設定された字幕表示範囲のタイトル内位置表示を設定するタイトル内字幕位置表示設定ステップと、を備える請求項７または請求項８記載の映像記録再生方法。
【請求項１０】
前記表示設定ステップは、前記受信手段で受信された信号の字幕情報の位置を示す字幕ポインタ情報を取得し、前記記録手段に字幕ポインタリストを保存する字幕ポインタリスト作成ステップを更に備える請求項７乃至請求項９のいずれか１項記載の映像記録再生方法。
【請求項１１】
前記取得ステップは、抽出された表示時刻情報から、字幕の表示時刻間隔が一定以上か否かを判断し、表示時刻間隔が一定以上の場合に、字幕と字幕との間に所定の間隔で空行情報を挿入して、字幕情報、空行情報、および表示時刻を含むテーブルデータを生成するテーブル生成ステップと、を備える請求項７乃至請求項９のいずれか１項記載の映像記録再生方法。
【請求項１２】
前記受信手段で受信された信号にチャプター情報が含まれる場合に、字幕と字幕との間にチャプター情報を挿入して、字幕情報および前記チャプター情報を含むテーブルデータを生成するチャプター表示設定ステップをさらに備える請求項７乃至請求項９のいずれか１項記載の映像記録再生方法。
【請求項１３】
前記表示設定ステップは、早送り又は早戻し操作情報が入力された場合に、表示映像と連動させて選択枠位置、字幕表示範囲、字幕位置表示、および、タイトル内字幕位置表示の設定を更新させる字幕表示更新ステップをさらに備える請求項７乃至請求項１２のいずれか１項記載の映像記録再生方法。
【発明の詳細な説明】
【技術分野】
【０００１】
本発明は、映像記録再生装置および映像記録再生方法に関し、特に、タイトル内検索手段を有する映像記録再生装置および映像記録再生方法に関する。
【背景技術】
【０００２】
映像記録再生装置は、選択的に信号を受信するチューナと、チューナで受信された信号に対してＡ/Ｄ変換やデコード等所定の信号処理をするデータ処理部と、データ処理部で処理された信号を記録するためのハードディスク等の記録手段と、を有している。
【０００３】
上記のような映像記録再生装置において、記録手段に記録された映像を再生する際、ユーザは、再生するタイトル内の所望の位置から再生するためにタイトル内検索を行う。このとき、例えば、タイトルを複数の領域に分け、この領域単位でスキップ動作を行うなどの方法でタイトル内位置の検索を行うことがある。
【０００４】
また、例えば、デジタル放送信号を受信して、受信した番組を再生させる場合、映像情報の他に字幕情報などの付加情報を受信することができる。字幕情報は、同じタイミングで表示される映像と関連の強い文字データであるため、このような文字データを利用することでタイトル内位置検索処理をこれまでと異なる形で実現することが検討されている。従来、字幕情報を用いてタイトル内位置を検索して、所望のシーンの頭だしをする放送記憶再生装置が提案されている（特許文献１参照）。
【特許文献１】特開２００６−２４５９０７号公報
【発明の開示】
【発明が解決しようとする課題】
【０００５】
しかし、上記の放送記憶再生装置では、字幕情報の提示にとどまっており実際のサーチを行うＧＵＩ（graphical user interface）として不十分なものであった。すなわち、字幕情報を表示させる場合には、表示画面サイズの関係で全ての字幕を表示することは難しく、字幕の一部分を表示することとなるが、字幕の一部分のみからタイトル内位置を把握することは困難であった。
【０００６】
また、上記の放送記憶再生装置では、字幕情報のリストを表示するのみであるため、字幕情報と字幕情報との表示時刻間隔が長い場合など、タイトル内位置検索処理としては使いづらい場合があった。
【０００７】
本発明は上記の問題点に鑑みて成されたものであって、操作性の高いタイトル内位置検索が可能な映像記録再生装置を提供することを目的とする。
【課題を解決するための手段】
【０００８】
本発明の第１態様に係る映像記録再生装置は、選択的に信号を受信する受信手段と、前記受信手段で受信された信号を処理するデータ処理手段と、前記データ処理手段で処理された信号を記録する記録手段と、再生する信号を表示手段で表示可能に処理して出力する出力処理手段と、前記受信手段、前記データ処理手段、前記記録手段、および、前記出力処理手段の動作を制御する制御手段と、を備え、前記制御手段は、前記受信手段で受信された信号から取得された字幕情報に基づく字幕一覧サーチ画面の表示設定をする字幕情報一覧表示設定手段を備え、前記字幕情報一覧表示設定手段は、タイトルを再生中か否かを判断して選択枠の位置を設定する選択枠位置設定手段と、前記選択枠の位置に基づいて、表示させる字幕リストの範囲を設定する字幕表示範囲設定手段と、前記字幕表示範囲設定部によって設定された範囲内の字幕位置表示を設定する字幕位置表示設定手段と、設定された字幕表示範囲のタイトル内位置表示を設定するタイトル内字幕位置表示設定手段と、を備える。
【０００９】
本発明の第２態様に係る記録再生方法は、選択的に信号を受信する受信手段と、前記受信手段で受信された信号を処理するデータ処理手段と、前記データ処理手段で処理された信号を記録する記録手段と、再生する信号を表示手段で表示可能に処理して出力する出力処理手段と、前記受信手段、前記データ処理手段、前記記録手段、および、前記出力処理手段の動作を制御する制御手段と、を備えた映像記録再生装置の映像記録再生方法であって、前記受信手段で受信された信号から字幕情報を取得する取得ステップと、前記字幕情報に基づいて作成された字幕リスト、および、前記字幕リストのタイトル内位置を含む字幕一覧サーチ画面の表示設定をする表示設定ステップと、を備える。
【発明の効果】
【００１０】
本発明によれば、操作性の高いタイトル内位置検索が可能な映像記録再生装置を提供することができる。
【発明を実施するための最良の形態】
【００１１】
以下に、本発明の一実施形態に係る映像記録再生装置および記録再生方法について図面を参照して説明する。図１に示すように、本実施形態に係る映像記録再生装置２は、テレビ受像装置１に接続されている。ユーザは、例えばリモコン３を操作することによって、映像記録再生装置２を操作することが可能である。リモコン３は、ユーザの操作により赤外線信号通信により、ユーザの操作信号を映像記録再生装置２に送信する。
【００１２】
図２に示すように、映像記録再生装置２は、放送信号を選択的に受信する受信手段としてのチューナ部２１、チューナ部２１で受信された信号に対して所定の信号処理をするデータ処理部２２、再生映像にＯＳＤ（On Screen Display）信号を合成してテレビ受像装置１に出力する出力処理部２３、録画データや字幕ポインタ情報などを保存する記録手段としてのストレージ部２４、例えば赤外線通信によりリモコン３からの信号を受信する入力部２６、そしてチューナ部２１、データ処理部２２、出力処理部２３、ストレージ部２４、および入力部２６の動作を制御する制御装置２５を有している。
【００１３】
制御装置２５は、ＣＰＵ（Central Processing Unit）に代表される主制御用ＩＣ（ＬＳＩ）を内蔵し、入力部２６からの操作情報（入力）に対応する操作内容が反映されるように、各部をそれぞれ制御している。制御装置２５はまた、日時を保持する時計部（タイマコントローラ）（図示せず）を含み、時刻管理や、ユーザからの入力により設定される録画予約が設定可能である。
【００１４】
さらに、本実施形態に係る映像記録再生装置では、制御装置２５は、後に詳述するように字幕情報から作成された字幕リストからタイトル内位置を検索するための表示画面の設定をする字幕情報一覧表示設定部２５４を有している。
【００１５】
ストレージ部２４は、例えばＣＰＵが実行する制御プログラムを保持したＲＯＭ（Read Only Memory）、ＣＰＵに作業エリアを提供するＲＡＭ（Random Access Memory）、および各種の設定情報及び制御情報等が格納される不揮発性メモリ（Non Volatility Memory）、ハードディスクドライブ（ＨＤＤ）等を含む。
【００１６】
以下、映像記録再生装置２の主要な信号処理系について説明する。例えば、地上波放送受信用のアンテナ（図示せず）又はＢＳ／ＣＳデジタル放送受信用のアンテナ（図示せず）で受信したデジタルテレビジョン放送信号は、チューナ部２１に供給される。チューナ部２１は、制御装置２５からの制御信号により所望のチャンネルの放送信号を選局し、この選局された放送信号をデータ処理部２２に出力する。チューナ部２１は、受信した信号に含まれるタイトルに関する時刻情報を含むデータを外部より取得する時刻取得手段（図示せず）を有している。
【００１７】
データ処理部２２は、制御装置２５からの制御信号により、チューナ部２１で選局された放送信号を復調して、所望の番組を含んだトランスポートストリーム（ＴＳ）を得る。さらに、データ処理部２２は、制御装置２５の制御の下で、トランスポートストリーム（ＴＳ）多重化された信号のＴＳ復号処理を行い、デジタル放送により送られている番組を取得するための各種データや字幕情報、電子番組ガイド（ＥＰＧ）情報、番組属性情報（番組ジャンル等）等を制御装置２５へ出力する。
【００１８】
また、データ処理部２２は、制御装置２５からの制御信号に基づき、供給された放送信号に対し、暗号化および圧縮処理を行い、制御装置２５を介してストレージ部２４へ記録させる。
【００１９】
データ処理部２２は、デジタル信号処理後の映像信号および音声信号を出力処理部２３に出力する。出力処理部２３は、データ処理部２２から供給されたデジタルの映像信号及び音声信号に対して、選択的に所定のデジタル信号処理を施して出力する。
【００２０】
出力処理部２３は、放送信号が字幕信号を伴い、字幕が表示可能である場合は、制御装置２５からの制御信号および字幕情報に基づき、映像信号上に字幕情報を重畳する処理を行う。
【００２１】
また、出力処理部２３は、供給された映像信号にＯＳＤ信号を重畳する。なお、出力処理部２３は、データ処理部２２の出力映像信号と、ＯＳＤ信号とを選択的に出力すること、また、両出力をそれぞれ画面の半分を構成するように組み合わせて出力することができる。
【００２２】
なお、ＯＳＤ信号は、αブレンディングのパラメータが設定されることで、通常の映像表示上に、「半透明」状態で（通常の映像信号の一部を透過可能に）重ね合わせて出力させることもできる。
【００２３】
さらに、出力処理部２３は、ディスプレイ装置（モニタ装置）により映像（動画／静止画）出力として再生可能に、データ処理部２２から供給されるデジタルの映像信号、および、ＯＳＤ信号をアナログの映像信号に変換して出力する。
【００２４】
また、出力処理部２３には、例えばＤＶＤ規格の光ディスクを記録媒体とするＤＶＤレコーダ装置や、従来からのビデオテープを記録媒体とするビデオレコーダ装置が接続されてもよい。
【００２５】
また、出力処理部２３は、スピーカーやヘッドホン装置により音声／オーディオ出力として再生可能に、供給されるデジタルの音声信号をアナログの音声信号に変換して出力する。
【００２６】
本実施形態に係る映像記録再生装置では、制御装置２５は、録画した番組情報から得られた字幕情報に基づいて、タイトル内の位置を検索するための字幕情報一覧表示画面の表示設定を行う。
【００２７】
字幕情報を用いた検索画面である字幕情報一覧表示画面の一例を図４に示す。図４に示すように、字幕情報一覧表示画面には、字幕ＣＡＰやチャプター情報ＣＨなどのリスト表示（以下、字幕リスト表示）と字幕リスト表示のタイトル内時間に対応した字幕位置表示Ｂ２、字幕位置表示がタイトル全体のどの位置かを指し示すタイトル内位置表示Ｂ１が表示されている。また、字幕リスト表示には必要に応じて選択枠ＳＬが表示され、例えばリモコン３のカーソルキーを操作することによって、ユーザが任意のアイテムを字幕リスト表示から選択することができる。
【００２８】
字幕情報取得動作の一部は、タイトル録画の際に行われる。タイトル録画をする際には、制御装置２５は、入力部２６に入力されたユーザの選択情報信号に応じて放送信号をチューナ部２１で選択させ、得られた放送信号をデータ処理部２２に供給して番組情報と字幕情報等とを分離させ、設定に応じた圧縮処理をさせる。
【００２９】
この圧縮処理の際に、圧縮映像データ中の字幕情報の位置をポインタ（以下、字幕ポインタ）として抜き出しリスト（以下、字幕ポインタリスト）を保管する。圧縮処理の後、番組情報、圧縮映像データ、字幕ポインタリストはストレージ部２４に保存される。また、これらの制御は、制御装置２５によって行われる。
【００３０】
制御装置２５は、字幕ポインタリストに基づいて、圧縮映像データから字幕情報を抜き出し、字幕リストを表示させるためのテーブルデータを作成する。このように字幕ポインタリストを用いて字幕リスト表示のためのテーブルデータを作成することによって、ストレージ部２４の記録領域を有効に使用することができ、テーブルデータの作成処理を円滑に行うことができる。
【００３１】
図３に示すように、制御装置２５は、供給された字幕情報を解析する字幕解析部２５１を有している。字幕解析部２５１は、タイトルから取得された字幕情報の構成を解析する。字幕解析部２５１から出力された解析信号は、表示時刻情報抽出部２５２に送信される。表示時刻情報抽出部２５２は、供給された解析情報から、所望の字幕が表示されるタイトル内の時刻を抽出する。
【００３２】
表示時刻情報抽出部２５２の出力信号は、テーブル生成部２５３に送信される。テーブル生成部２５３は、タイトル内検索をするように指定されたタイトルの字幕ポインタリストに基づいて字幕情報を抜き出し、抜き出された字幕情報と、字幕表示時刻とからテーブルデータを生成してストレージ部２４に保存する。なお、テーブルデータは、ＨＤＤ等に保存されてもよく、ＨＤＤ等に保存されずに一時的にメモリに置かれるようにしても良い。
【００３３】
このとき、テーブル生成部２５３は、字幕と字幕との表示時刻間隔が一定時間以上であるか否かを判定し、一定時間以上の間隔がある場合には、字幕と字幕との間に、空行データや字幕が無いことをユーザに知らせるための文字又は記号データを所定の間隔で挿入する。
【００３４】
本実施形態に係る映像記録再生装置では、テーブル生成部２５３は、字幕と字幕との表示時刻間隔が８分以上におよぶ箇所が存在するか否かを判定し、８分以上の間隔が存在する場合は、該当箇所に５分置きに空行データを挿入して、字幕と空行データと字幕表示時刻とをテーブルデータとしてストレージ部２４に保存する。さらに、テーブル生成部２５３は、録画したタイトル情報にチャプター情報が含まれている場合には、チャプター情報もテーブルデータに挿入し、ストレージ部２４に保存する。
【００３５】
このように、字幕と字幕との間に、空行データや所定の文字又は記号データを挿入することによってテーブルデータを作成すると、字幕と字幕との表示時刻間隔が必要以上に広がらないように調整することが可能となり、タイトル内検索の操作性を向上させることができる。
【００３６】
さらに、テーブルデータにチャプター情報を挿入することによって、チャプター毎の大まかなサーチと、字幕を用いた細かいサーチとの両方が可能となり、ユーザの操作性をさらに向上させることができる。
【００３７】
ここで、入力部２６から字幕検索選択操作信号を受信すると、制御部２５０はテーブル生成部２５３に、ストレージ部２４に保存されたテーブルデータを字幕情報一覧表示設定部２５４に送信させる。
【００３８】
字幕情報一覧表示設定部２５４は、選択枠表示位置設定部２５４１と、字幕表示範囲設定部２５４２と、字幕位置表示設定部２５４３と、タイトル内字幕位置表示設定部２５４４と、を有している。
【００３９】
選択枠表示位置設定部２５４１は、タイトルを再生中か否かを判断し、タイトルを再生中の場合には選択枠ＳＬの位置を現在再生している場面の字幕の位置とする。タイトルを再生していない場合には、選択枠ＳＬの位置はタイトルの先頭とする。
【００４０】
選択枠表示位置設定部２５４１での設定情報は、字幕表示範囲設定部２５４２に送信される。字幕表示範囲設定部２５４２は、設定された選択枠ＳＬの位置に基づいて画面に表示させる字幕リストの範囲を設定する。
【００４１】
字幕表示範囲設定部２５４２での設定情報は、字幕位置表示設定部２５４３に送信される。字幕位置表示設定部２５４３では、設定された字幕リストの表示範囲に基づいて、例えば図４に示す字幕位置表示Ｂ２のように、字幕リストの位置表示の設定をする。
【００４２】
さらに、字幕表示範囲設定部２５４２での設定に基づいて、タイトル内字幕位置表示設定部２５４４は、例えば図４に示すタイトル内位置表示Ｂ１のように、表示された字幕リストの範囲のタイトル内位置を表示させる設定をする。
【００４３】
なお、字幕位置表示設定部２５４３で行われる字幕位置表示設定と、タイトル内字幕位置表示設定部２５４４で行われるタイトル内字幕位置表示設定とは、図３に示す場合と順序が逆になっても良く、並列して行われても良い。
【００４４】
字幕情報一覧表示設定部２５４の出力は、字幕情報一覧表示部２５５に送信される。字幕情報一覧表示部２５５は、字幕情報一覧表示設定部２５４で設定された選択枠位置、字幕表示範囲、字幕位置表示、およびタイトル内字幕位置表示の設定情報に基づいて、字幕情報一覧表示画面を表示させる。
【００４５】
すなわち、字幕情報一覧表示部２５５は、字幕情報一覧表示設定部２５４で設定された設定情報を出力処理部２３に送信する。出力処理部２３は、送信された設定情報に基づいて字幕情報一覧表示画面を表示するためのＯＳＤ信号を生成し、このＯＳＤ信号を映像信号に重畳させて、テレビ受像装置１に出力する。テレビ受像装置１は、供給された信号に基づいて、表示画面に図４に示すような字幕情報一覧表示画面を表示させる。
【００４６】
このとき、本実施形態に係る映像記録再生装置では、例えばユーザが字幕をスクロールした場合には、映像/音声再生位置Ｐ１はスクロールと連動させずに、図５に示すように字幕表示範囲のみをスクロールさせて表示させる。
【００４７】
表示された字幕情報一覧表示画面において、ユーザが選択枠ＳＬによって字幕リストを選択すると、字幕情報選択部２５６は、選択された字幕リストのタイトル内の表示時刻情報を取得する。映像再生部２５７は、字幕情報選択部２５６で取得された時刻情報に基づいて記録されたタイトル内をサーチし、ユーザが選択した字幕リストに対応する映像を再生させる。
【００４８】
また、本実施形態に係る映像記録再生装置では、字幕情報一覧表示画面が表示されている際に、ユーザが早送り又は早戻し操作を選択した場合には、図６に示すように、字幕表示範囲を映像の早送り又は早戻しの動きに連動するように更新させる。
【００４９】
この場合、字幕表示範囲と映像とは連動して早送り又は早戻しされているため、表示された字幕情報一覧表示画面において、ユーザが選択枠ＳＬによって字幕リストを選択すると、映像再生部２５７は、ユーザが字幕を選択したタイミングに表示された映像の位置（映像/音声再生位置Ｐ２）から映像を再生させる。
【００５０】
以下に、字幕情報一覧表示画面の表示動作について図面を参照して説明する。図７に示すように、ユーザがリモコン３の「字幕一覧サーチ」ボタンを押下したことを検出すると（ステップＳＴＡ１）、制御装置２５は表示字幕リストを作成する（ステップＳＴＡ２）。
【００５１】
タイトル再生中か否かにより、画面への表示開始字幕が選択される。表示開始字幕の時刻情報をテーブルより取得し、それに応じて検索画面を描画する。この際、選択枠ＳＬの位置は開始字幕の位置に設定される。
【００５２】
すなわち、制御装置２５は、タイトルを再生中か否かを判断する（捨ステップＳＴＡ３）。タイトルを再生中の場合は、制御装置２５は、現在の再生位置の字幕を初期選択字幕と設定し、この初期選択字幕が画面の中央に最も寄るように表示開始時の字幕表示範囲、字幕位置表示、およびタイトル内字幕位置表示の設定する（ステップＳＴＡ４）。
【００５３】
タイトルを再生中でない場合には、タイトル先頭の字幕を初期選択字幕および表示開始字幕に設定し、表示開始時の字幕表示範囲、字幕位置表示、およびタイトル内字幕位置表示の設定する（ステップＳＴＡ５）。
【００５４】
表示開始時の字幕表示範囲、字幕位置表示、およびタイトル内字幕位置表示が設定されると、制御装置２５は、出力処理部２３に「字幕一覧サーチ画面」を表示させるためのＯＳＤ信号を送信し、テレビ受像装置１の画面に字幕一覧サーチ画面を表示させる（ステップＳＴＡ６）。
【００５５】
字幕一覧サーチ画面を表示させた状態で、リモコン３のカーソルキーが押下されたことが検出されると（ステップＳＴＡ７）、制御装置２５は、押下されたカーソルキーに応じて選択字幕の設定を更新させる（ステップＳＴＡ８）。
【００５６】
このとき、さらに表示された字幕リストをスクロールする必要がある場合には（ステップＳＴＡ９）、選択字幕が画面の中央に最も寄るように字幕表示範囲設定を更新させるとともに、字幕表示範囲設定に合わせて字幕位置表示およびタイトル内字幕位置表示の設定も更新させる（ステップＳＴＡ１０）。リモコン３のカーソルキーが押下された場合でも、表示させた字幕リストをスクロール必要が無い場合には、選択枠の位置のみを更新させる（ステップＳＴＡ１５）。
【００５７】
ユーザがリモコン３の「決定」ボタンを押下したと検出した場合（ステップＳＴＡ１３）、選択された字幕情報の時刻情報を元に、タイトル内の字幕表示開始位置付近をサーチし、再生させる（ステップＳＴＡ１４）。
【００５８】
ユーザがリモコン３の「キャンセル」ボタンを押下したことが検出されると（ステップＳＴＡ１１）、制御装置２５は、字幕一覧サーチ画面開始前の画面に戻り（ステップＳＴＡ１２）、字幕一覧サーチを終了させる。
【００５９】
図７に示す表示字幕リストの作成（ステップＳＴＡ２）は、図８に示すフローチャートのように行われる。すなわち、制御装置２５は、該当タイトルの字幕ポインタリストをストレージ部２４から取得し、映像データの中から時間順にソートされた字幕のリストを作成する（ステップＳＴＢ１）。次に同字幕リストをタイトル内表示時刻と字幕等からなるテーブルデータに変換する（ステップＳＴＢ２）。
【００６０】
さらに、制御手段２５タイトル内にチャプター情報が存在するかどうか判定し（ステップＳＴＢ３）、存在する場合はチャプター先頭位置時刻とチャプター名とをリスト化し、テーブルデータに挿入する（ステップＳＴＢ４）。
【００６１】
さらに制御手段２５は、作成されたテーブルデータからリストの間隔が例えば８分以上におよぶ箇所が存在するか判定する（ステップＳＴＢ５）。８分以上の間隔が存在する場合は、該当箇所に５分置きに空行データを挿入しリストの間隔が必要以上に広がらないようにする（ステップＳＴＢ６）。
【００６２】
上記のように字幕情報を用いてタイトル内のサーチを行うことによって、ユーザが直感的でより短時間にサーチすることができる。また、本実施形態に係る映像記録再生装置および映像記録再生方法では、字幕情報の表示時刻間隔が一定時間以上の場合には、テーブルデータに空行データ等挿入するようにしているため、字幕データが全くないようなタイトルであっても同じ操作によりサーチを行うことができる。
【００６３】
すなわち、本実施形態に係る映像記録再生装置および映像記録再生方法によれば、タイトル内位置表示、チャプター情報、一定時間毎の空行などを提示することで、大幅に操作性の高いタイトル内位置検索が可能な映像記録再生装置を提供することができる。
【００６４】
なお、この発明は、上記実施形態そのままに限定されるものではなく、実施段階ではその要旨を逸脱しない範囲で構成要素を変形して具体化できる。例えば、上記の実施形態に係る映像記録再生装置はテレビ受像装置に接続されていたが、映像を表示させる表示手段を一体に備えていても良い。また、図４に示す字幕情報一覧表示画面は一例であって、字幕情報一覧表示画面は図４に示す場合と異なる構成であっても良い。
【００６５】
さらに、上記の実施形態に係る映像記録再生装置では、字幕情報からテーブルデータを作成する際に、字幕と字幕との表示時刻間隔が８分以上か否かを判断し、字幕と字幕との表示時刻間隔が８分以上である部分に５分間隔で空行データを挿入しているが、字幕と字幕との表示時刻間隔および空行データの挿入間隔は上記の数値に限られない。さらに、空行データではなく、所定の文字や記号を挿入するようにしても上記の実施形態に係る映像記録再生装置および映像記録再生方法と同様の効果をえることができる。
【００６６】
また、上記の実施形態に係る映像記録再生装置および映像記録再生方法では、テーブル生成部２５３は、タイトル内検索をするように指定されたタイトルの字幕ポインタリストに基づいて字幕情報を抜き出し、抜き出された字幕情報と、字幕表示時刻とをテーブルデータとしてストレージ部２４に保存していたが、字幕ポインタと字幕表示時刻とでテーブルデータを作成しても良い。
【００６７】
その場合には、字幕情報一覧表示部２５５が字幕情報一覧表示画面を表示する段階で、設定された字幕表示範囲の字幕ポインタに基づいて字幕情報を抜き出して、表示させてもよく、字幕表示範囲設定部２５４２で字幕表示範囲が設定された後に、字幕情報一覧表示設定部２５４で字幕表示範囲の字幕ポインタに基づいて字幕情報を抜き出し、抜き出された字幕情報を表示させるように設定してもよい。
【００６８】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６９】
【図１】本発明の一実施形態に係る映像記録再生装置をテレビ受像装置に接続した一使用例を示す図。
【図２】本発明の一実施形態に係る記録再生装置の映像記録再生装置の一構成例を概略的に示す図。
【図３】図２に示す制御装置の一構成例を概略的に示す図。
【図４】本発明の一実施形態に係る映像記録再生装置によって表示される字幕情報一覧表示画面の一例を概略的に示す図。
【図５】本発明の一実施形態に係る映像記録再生装置における、字幕情報一覧表示画面を表示中の字幕スクロール動作の一例を説明するための図。
【図６】本発明の一実施形態に係る映像記録再生装置における字幕情報一覧表示画面を表示中の早送り/早戻し動作の一例を説明するための図。
【図７】本発明の一実施形態に係る映像記録再生方法における字幕情報一覧表示画面の表示方法の一例を説明するためのフローチャート。
【図８】図７に示す字幕情報一覧表示画面の表示方法における、表示字幕リストの作成方法の一例を説明するためのフローチャート。
【符号の説明】
【００７０】
ＣＡＰ…字幕、ＣＨ…チャプター情報、Ｂ２…字幕位置表示、Ｂ１…タイトル内位置表示、２…映像記録再生装置、２１…チューナ部（受信手段）、２２…データ処理部、２３…出力処理部、２４…ストレージ部（記録手段）、２５…制御装置、２５４…字幕情報一覧表示設定部
【図１】
2010011395.tif 000003
【図２】
2010011395.tif 000004
【図３】
2010011395.tif 000005
【図４】
2010011395.tif 000006
【図５】
2010011395.tif 000007
【図６】
2010011395.tif 000008
【図７】
2010011395.tif 000009
【図８】
2010011395.tif 000010